(57)【要約】【課題】  本発明はビニール・ロール・パックが具備されたゴミ箱に関するもので、もっと具体的にはゴミ箱に設置されたビニール・ロール・パックの入れ替えが簡単で便利ながらもビニール・ロール・パックによってごみを込めることができる空間が縮小されないようにして空間活用度を極大化する目的に、ごみを収容するように上方が開放されて内側に空間が形成された本体（１０）と、前記本体の一側に形成されてビニール・ロール・パック（３０）を装着するための装着部（２００）と、前記ビニール・ロール・パック（３０）で引き出しされたビニール袋（３１）をガイドして本体で広げるように本体の底面に設置されたホック（１４）を含んで成り立ったビニール・ロール・パックが具備されたゴミ箱を提供する。【解決手段】  ごみを収容するように上方が開放されて内側に空間が形成された本体（１０）；前記本体の一側に形成されてビニール・ロール・パック（３０）を装着するための装着部（２００）；前記ビニール・ロール・パック（３０）で引き出しされたビニール袋（３１）をガイドして本体で広げるように本体の底面に設置された少なくとも一つまたは複数個のホック（１４）；を含有することを特徴にするビニール・ロール・パックが具備されたゴミ箱。【選択図】  図１
2013525226.tif 000002
【特許請求の範囲】
【請求項１】
ごみを収容するように上方が開放されて内側に空間が形成された本体（１０）；
前記本体の一側に形成されてビニール・ロール・パック（３０）を装着するための装着部（２００）；
前記ビニール・ロール・パック（３０）で引き出しされたビニール袋（３１）をガイドして本体で広げるように本体の底面に設置された少なくとも一つまたは複数個のホック（１４）；
を含有することを特徴とするビニール・ロール・パックが具備されたゴミ箱。
【請求項２】
前記本体（１０）と装着部（２００）の間に前記ビニール・ロール・パック（３０）の直径より幅が小さなスリット（１０３）が形成されたことを特徴にする請求項１記載のビニール・ロール・パックが具備されたゴミ箱。
【請求項３】
前記本体（１０）と装着部（２００）の間に本体内部と装着部を隔離させる壁が形成されて、前記壁には前記ビニール・ロール・パック（３０）で引き出しされたビニール袋（３１）を本体内部で誘導するホール（１０５）が穿孔されたことを特徴にする請求項１記載のビニール・ロール・パックが具備されたゴミ箱。
【請求項４】
前記装着部（２００）底面にビニール・ロール・パック（３０）の中心を貫いてビニール・ロール・パックが回転可能に固定する支持棒（２０１）が形成されたことを特徴にする請求項１記載のビニール・ロール・パックが具備されたゴミ箱。
【請求項５】
前記支持棒（２０１）底部にビニール・ロール・パック（３０）の下端と接して支持する同時に回転可能にさせる回転盤（２５）がさらに具備されたことを特徴にする請求項４記載のビニール・ロール・パックが具備されたゴミ箱。
【請求項６】
前記ホック（１４）外面で回転可能なリング（１７）をさらに包含することを特徴にする請求項１乃至５のいずれか１項のビニール・ロール・パックが具備されたゴミ箱。
【発明の詳細な説明】
【技術分野】
【０００１】
本発明は、ゴミ箱内に設置されてごみを入れるようにしたビニール・ロール・パックがゴミ箱の側面に具備されてビニール・ロール・パックの交換を容易にする、ビニール・ロール・パックが具備されたゴミ箱に関する。
【背景技術】
【０００２】
一般的にゴミ箱の衛生性向上と、ごみの排出を容易にするため、まずビニール袋或いは従量制袋の中にごみを捨て、それからゴミ箱内に捨てており、この場合、ビニール袋或いは従量制袋の上方を縛って排出しているからゴミ箱内に汚物が残らなくなって清潔を維持することができる。
【０００３】
より進歩された従来技術として、韓国実用新案公開第２０−１９９４−０００９９７２号の公開公報のように凹溝（１ｄ）を形成したゴミ箱の本体（１）の内部の下段のある位置にビニール袋引き出し溝（２ａ）を有する隔板部材（２）を支持する隔板突起（１ａ）を形成し、前記ゴミ箱本体（１）の凹溝（１ｄ）に一致する凸面形態のビニ−ル固定輪（３ａ）が形成されて、取っ手溝（３ｂ）を有する押す板（３）を具備する一方、汚物収去用ビニール袋（４）を巻取するようになるビニール袋巻取軸（１ｃ）をゴミ箱本体（１）に形成する軸支持溝（１ｂ）に固定する構成になるゴミ箱が提案された。
【０００４】
しかし従来技術のゴミ箱は、ビニール袋を入れ替えようとする場合、巻取軸を横方向に抜き取ってビニール袋を巻取したロ−ルパックをゴミ箱の上方向にあげて分離した後、再び巻取軸に新しいビニールロ−ルパックを挟みこんだ後、ロ−ルパックをゴミ箱の底部に入れて巻取軸を軸支持溝に挟みこまなければならないなど、入れ替え作業が不便で煩わしいという問題点がある。
【０００５】
また、ロ−ルパックがゴミ箱の内側底部に装着されるため、ロ−ルパックの位置する空間が必要なためごみを貯蔵できる容量に制限があり、ひいてはごみ箱の幅や大きさがすでに決まっているからその大きさにあうビニール・ロール・パックを設置するしかないのでビニール・ロール・パックの購買に制限がある。すなわちビニール・ロール・パックを購買する時、ゴミ箱大きさにあう製品だけ購買しなければならない。
【０００６】
さらに、従来技術はロ−ル・パックを使わない場合にロ−ル・パック装着空間によってゴミ箱の容量が不必要に縮まるので、空間效率性が良くないという問題点もある。
【発明の概要】
【発明が解決しようとする課題】
【０００７】
前記の従来技術に含まれた問題点を解消するために案出された本発明の目的は、ビニール・ロール・パックを設置したゴミ箱の構造を簡易にし、かつビニール・ロール・パックの入れ替えが簡単で便利なビニール・ロール・パックが具備されたゴミ箱を提供するものである。
【０００８】
本発明の他の目的はビニール・ロール・パックによってごみを入れることができる空間が減らないようにして空間活用性を極大化させたビニール・ロール・パックが具備されたゴミ箱を提供するものである。
【課題を解決するための手段】
【０００９】
前記目的を達成するための本発明の解決手段は、ごみを収容するために上方が開放されて内側に空間が形成された本体（１０）と、前記本体の一側に形成されてビニール・ロール・パック（３０）を装着する装着部（２００）と、前記ビニール・ロール・パック（３０）で引き出しされたビニール袋（３１）をガイドして本体の内で広げるように本体の底面に設置されたホック（１４）からなることを特徴とする。
【発明の効果】
【００１０】
本発明によれば、ゴミ箱本体の底部にあるホックによってビニール・ロール・パックから引き出しされたビニールを易しく簡便に広げることができながらもゴミ箱の構造が簡易で製造コストを節減して競争力の向上する利点がある。
【００１１】
また、ビニール・ロール・パックがゴミ箱の一側に用意された装着部に設置されるのでごみを入れるための内部空間が縮小されないので空間效率性を阻害しないという利点がある。
【００１２】
更にビニール・ロール・パックを持ち上げるとか挟みこむ作業だけでビニール・ロール・パックを分離するとか結合させることができるようになって入れ替えが容易にて、ビニール・ロール・パックの長さ或いは大きさにかかわらず装着することができるので選択の幅が広いという利点がある。
【図面の簡単な説明】
【００１３】
【図１】本発明の第１実施例によるゴミ箱の斜視図である。
【図２】本発明の第１実施例によるゴミ箱の平面図である。
【図３】図２のＡ−Ａ線を切開した断面図である。
【図４】本発明の第２実施例によるゴミ箱の斜視図である。
【図５】本発明の第２実施例によるゴミ箱の断面図である。
【図６】本発明の第２実施例が変形された第３実施例による図５の部分拡大図である。
【図７】本発明の第４実施例によるホックの拡大図である。
【図８】本発明の第５実施例によるゴミ箱の断面図である。
【発明を実施するための形態】
【００１４】
本発明は多様な変形が可能であり、さまざまな実施例として例示されることができるが、以下では本発明の望ましい形態の構造を挙げて本発明を詳細に説明する。しかしこれらは本発明を例示された形態だけに限定しようとするのではなく、本発明の思想及び技術範囲は例示された形態の通常的な変更や均等物又は代替物まで含むことを理解すべきである。
【００１５】
本発明はごみを収容するように上方が開放されて内側に空間が形成された本体と、前記本体の一側に形成されてビニール・ロール・パックを装着するための装着部と、前記ビニール・ロール・パックで引き出しされたビニール袋をガイドして本体で広げるように本体の底面に設置されたホックを含む。
【００１６】
ここで前記本体と装着部の間に前記ビニール・ロール・パックの直径より幅の小さなスリットが形成することができる。
【００１７】
また、前記本体と装着部の間に本体内部と装着部を隔離させる壁が形成されて、前記壁には前記ビニール・ロール・パックで引き出しされたビニール袋を本体内部で誘導するホールが穿孔することができる。
【００１８】
また、前記装着部底面にビニール・ロール・パックの中心を貫いてビニール・ロール・パックが回転可能に固定する支持棒が形成されることができるし、前記支持棒底部にビニール・ロール・パックの下端と接して支持すると同時に回転可能にさせる回転盤が具備される。
【００１９】
一方、本発明は前記ホックの外面で回転可能なリングを包含することができる。
【００２０】
以下、添付された図１乃至図８を参照して本発明の好ましい実施形態のビニール・ロール・パックが具備されたゴミ箱に関して詳細に説明する。
【００２１】
図１は本発明の第１実施例によるゴミ箱の斜視図であり、図２は本発明の第１実施例によるゴミ箱の平面図であり、図３は図２のＡ−Ａ線を切開した断面図であり。
【００２２】
図１乃至図３に示したように、本発明の第１実施例によれば、ビニール・ロール・パック（３０）を装着するための手段がゴミ箱本体（１０）の一側に形成されている。
【００２３】
前記本体（１０）は、一般的に上部が開放された箱の形態として、内部にはごみを収容することができる空間が形成される。
【００２４】
前記ビニール・ロール・パック（３０）は、ビニール袋（３１）を巻いて巻取したロール形態のもので、ビニール袋（３１）を一枚ずつ切り取って使うように製造された一般的なものである。
【００２５】
このようなビニール・ロール・パック（３０）は、前記本体（１０）の一側に形成され、ここで一側ということは本体（１０）の内部空間の一部または本体（１０）内部空間の一側に用意された別途の空間を包含する。
【００２６】
前記ビニール・ロール・パック（３０）は、前記したように本体（１０）の内部空間の一部或いは本体（１０）の内部空間と別途の空間である装着部（２００）に設置される。
【００２７】
ここで前記装着部（２００）が本体（１０）の内部空間とは別に用意された空間を意味する場合、前記装着部（２００）空間と本体（１０）内部空間の間には壁が形成されて、前記壁には各空間を相互連通するようスリット（１０３）が形成させることが望ましい。
【００２８】
ここで前記スリット（１０３）の幅をビニール・ロール・パック（３０）の直径より小さな幅で形成すればビニール・ロール・パック（３０）が装着部（２００）空間内で本体（１０）内部空間に移動することを防止することができる。
【００２９】
前記本体（１０）底部底にはホック（１４）が形成される。この場合、図３に示したように、装着部（２００）空間内にビニール・ロール・パック（３０）を設置した後、ビニール・ロール・パック（３０）を解いて引き出されたビニール袋（３１）をスリット（１０３）で誘導した後、ホック（１４）にかけて本体（１０）上部で広げれば本体（１０）内部で捨てられたごみはビニール袋（３１）内部に収容される。
【００３０】
ビニール袋（３１）内にごみがいっぱいになれば、ビニール袋（３１）に所定間隔に形成された切取線（未図示）を利用してビニール袋（３１）を切り取ればごみが簡単に排出される。
【００３１】
以後、ビニール袋で切り取りされた部分を引っぱればビニール・ロール・パック（３０）が回転しながら新しいビニール袋（３１）が引き出されて、新しいビニール袋（３１）を本体（１０）上方に広げれば新しいビニール袋（３１）にごみを捨てることができる。
【００３２】
本発明の第１実施例によればビニール・ロール・パック（３０）を交換する際、装着部（２００）上部で容易に取り出して入れることができるし、またビニール・ロール・パック（３０）で引き出しされたビニール袋（３１）をホック（１４）にかけて本体上部で広げるだけでよいので便利で使用し易いということが分かる。
【００３３】
図４は本発明の第２実施例によるゴミ箱の斜視図であり、図５は本発明の第２実施例によるゴミ箱の断面図である。
【００３４】
図４及び図５に示したように、前記装着部（２００）は本体（１０）の一側に形成され、ここで装着部（２００）内の空間と本体（１０）内の空間は壁なしに相互連通して、装着部（２００）に収容されたビニール・ロール・パック（３０）は装着部（２００）底部で上向き突き出された支持棒（２０１）によって固定される。
【００３５】
このような変形実施例は前記装着部（２００）が本体（１０）内部空間の一部に形成されてもビニール・ロール・パック（３０）が支持棒（２０１）によって本体（１０）内部に移動しないので装着部（２００）と本体（１０）の間に壁が具備されていなくても構わない。
【００３６】
このように構成されれば、支持棒（２０１）に設置されたビニール・ロール・パック（３０）は装着部（２００）内の空間で回転可能な状態に固定され本体（１０）内部で離脱しなくなり、ビニール・ロール・パック（３０）で引き出しされたビニール袋（３１）は本体（１０）底部底に設置されたホック（１４）にかけて本体（１０）上部で広げれば、簡単にビニール袋（３１）を設置することができる。
【００３７】
図６は本発明の第２実施例が変形された第３実施例による図５の部分拡大図である。
【００３８】
前記したように装着部（２００）に支持棒（２０１）が設置された場合、図６に示したように支持棒（２０１）底部に回転可能な回転盤（２５）が設置できる。ここで、前記回転盤（２５）と装着部（２００）底面の間にはベアリング（２６）を介することができる。
【００３９】
この場合ビニール・ロール・パック（３０）が回転盤（２５）上に安定的に装着されるので、ビニール袋（３１）を引っぱるによってビニール・ロール・パック（３０）が回転する時、ビニール・ロール・パック（３０）が装着部（２００）底面と摩擦されなく回転盤（２５）が同時に回転するのでビニール袋（３１）をやんわりと引き出すことができるようになる。
【００４０】
図７は本発明の第４実施例によるホックの拡大図である。
【００４１】
図７に示すように前に説明されたホック（１４）はその外面にリング（１７）が設置されることができ、前記リング（１７）はホック（１４）と別個の構成要素としてホック（１４）外面で回転可能な状態に装着される。
【００４２】
この場合ビニール袋（３１）を引き出す時ビニール袋（３１）と接したホック（１４）も一緒に回転するのでビニール袋（３１）をやんわりと引き出すことができるようになる。
【００４３】
図８は本発明の第５実施例によるゴミ箱の断面図である。
【００４４】
図８に示したように、前記ホック（１４）は本体（１０）の底面に複数個設置されることができるし、この場合、ホック（１４）は、本体（１０）の底面中央部位に１ケを、装着部（２００）と近接した所、すなわちビニール・ロール・パック（３０）が設置される位置に近接した位置に１ケ設置されることができる。
【００４５】
このようにすれば、ビニール・ロール・パック（３０）で引き出しされたビニール袋（３１）がビニール・ロール・パック（３０）と近接した位置のホック（１４ａ）に先にかかった後、本体中央部のホック（１４）にかかるのでビニール袋（３１）引き出しの時、本体（１０）内部空間を占有することなく空間活用性を高め、多い量のごみを収容することができるようになる。
【００４６】
また、本体（１０）内部空間と装着部（２００）空間を壁で相互隔離させた場合に前記壁に穿孔してホール（１０５）を付着するのが望ましい。この場合ビニール・ロール・パック（３０）で引き出しされたビニール袋（３１）がホール（１０５）を通じて本体（１０）内部に誘導されることができるし、本体（１０）内部に流入されたビニール袋（３１）は少なくとも一つまたは２個以上設置されたホック（１４）を経由して本体（１０）内に開かれるようになる。
【００４７】
このように前記では本発明のいくつかの実施例に関して図示して説明したが、本発明は前記した特定の実施例に限定されなく、実施例たちの構成要素一部を変更、混合するなど、特許請求範囲で請求する本発明の要旨を脱することなしに発明が属する技術分野で通常の知識を有する者によって多様な変形実施が可能なことは勿論であり、そういう変形実施は本発明の技術的思想や見こみから離れて理解されてはいけない。
【符号の説明】
【００４８】
１０…  本体
１４…  ホック
１７…  リング
２５…  回転盤
２６…  ベアリング
３０…  ビニール・ロール・パック
３１…  ビニール袋
１０３…  スリット
１０５…  ホール
２００…  装着部
２０１…  支持棒
【図１】
2013525226.tif 000003
【図２】
2013525226.tif 000004
【図３】
2013525226.tif 000005
【図４】
2013525226.tif 000006
【図５】
2013525226.tif 000007
【図６】
2013525226.tif 000008
【図７】
2013525226.tif 000009
【図８】
2013525226.tif 000010
【国際調査報告】
2013525226.tif 000011
2013525226.tif 000012
2013525226.tif 000013
2013525226.tif 000014